(57)【要約】【課題】  主幹ブレーカやブスバーの配置を変更せずにフェライトコアを当該ブレーカの二次側に設置できるようにして、分電盤に対して電力線通信の信号漏れ対策を容易に行えるフェライトコアを提供する。【解決手段】  本発明は、電力線通信の信号通過を抑制するためのフェライトコア１０である。このフェライトコア１０は、分電盤１の内部に並設される複数本のブスバー７のうちの一つを取り囲むことができる内空面１１を備え、ブスバー７を取り囲んだ際に他のブスバー７と干渉しない断面形状に形成されている。【選択図】      図２
2009016914.tif 000002
【特許請求の範囲】
【請求項１】
電力線通信の信号通過を抑制するためのフェライトコアであって、
分電盤の内部に並設される複数本のブスバーのうちの一つを取り囲むことができる内空面を備え、前記ブスバーを取り囲んだ際に他の前記ブスバーと干渉しない断面形状に形成されていることを特徴とするフェライトコア。
【請求項２】
断面外部から前記内空面に至るコンデンサ配線用の挿通孔を備えている請求項１に記載のフェライトコア。
【請求項３】
一方が開放された溝型断面に形成された断面形状の一対のコアピースよりなり、このコアピースの開放部分同士を互いに接合することで前記内空面が形成される請求項１又は２に記載のフェライトコア。
【請求項４】
ブスバーと、請求項１〜３のいずれか１項に記載のフェライトコアとからなるブロッキングフィルタ機能付き交換用ブスバーであって、
前記ブスバーが、分電盤の内部に設置されている既存の前記ブスバーと同じ取付位置及び形状を有することを特徴とするブロッキングフィルタ機能付き交換用ブスバー。
【請求項５】
断面外部から前記内空面に至るコンデンサ配線用の挿通孔が前記フェライトコアに形成され、この挿通孔から挿通されたコンデンサの配線が前記ブスバーに予め接続されている請求項４に記載のブロッキングフィルタ機能付き交換用ブスバー。
【請求項６】
主幹ブレーカ及び分岐ブレーカとこれらを互いに接続する複数本のブスバーとを備えた分電盤に対して、電力線通信の信号通過を抑制する機能を付加するための分電盤の改修工法であって、
請求項１〜３のいずれか１項に記載のフェライトコアを、前記分電盤の内部に設置されている既存の前記ブスバーの取付位置及び形状を変更せずに、当該ブスバーに取り付けることを特徴とする分電盤の改修工法。
【請求項７】
主幹ブレーカ及び分岐ブレーカとこれらを互いに接続する複数本のブスバーとを備えた分電盤に対して、電力線通信の信号通過を抑制する機能を付加するための分電盤の改修工法であって、
既存の前記ブスバーを請求項４又は５に記載の交換用ブスバーと交換することを特徴とする分電盤の改修工法。
【請求項８】
以下の工程（１）及び（２）を含むことを特徴とする電力線通信システムの構築方法。
（１）  分電盤から分岐する枝線に電力線通信を行うモデムを接続する工程
（２）  請求項６又は７に記載の改修工法を前記分電盤に施工する工程
【発明の詳細な説明】
【技術分野】
【０００１】
本発明は、電力線通信の信号通過を抑制するためのフェライトコアとこれを有する交換用ブスバー、分電盤の改修工法、並びに、電力線通信システムの構築方法に関する。
【背景技術】
【０００２】
電力線通信（ＰＬＣ：Power Line Communication）は、電力線に高周波信号を重畳して高速通信を行う通信方式であり、新たに通信用ケーブルを設ける必要が無いという利点を有する（非特許文献１参照）。また、近年、ＬＡＮ（ローカルエリアネットワーク）を構成する手段としての電力線通信が注目されている。
例えば、新規に通信線を敷設することが困難なホテルでは、既存の屋内配電線を信号伝送路とするＰＬＣが至便である。このようなホテルのＰＬＣ−ＬＡＮでは、各部屋にＰＬＣモデムの子機が設置され、一定の子機数ごとに親機が一台設置され、各フロアごとに親機と複数の子機との間でＬＡＮのグループが構成される。
【０００３】
しかし、屋内配電線は１つの変圧器の下で共通の電路であるため、信号伝送路が複数のグループに共有されている。信号伝送路の距離が長くなるとＰＬＣの通信はつながりにくくなるが、近接しているとつながりやすい。そのため、例えば、ある階の子機からその階の親機と通信を行いたいのに、他の階の親機とつながってしまい、通信の混乱が生じる場合があり得る。
【０００４】
そこで、配電の起点となる分電盤の主幹ブレーカと分岐ブレーカとの間にブロッキングフィルタを設け、分岐ブレーカに繋がっているＰＬＣ−ＬＡＮの電力線通信の伝送信号（ＰＬＣ信号）がネットワーク外に漏洩するのを防止することが提案されている（特許文献１参照）。
【０００５】
【特許文献１】特開２００６−１１５４８１号公報（図６）
【非特許文献１】Interface、第７０〜８１頁、「電力線搬送（ＰＬＣ: Power Line Communication）の現状」、江藤潔著、ＣＱ出版社、２０００年９月
【発明の開示】
【発明が解決しようとする課題】
【０００６】
上記ＰＬＣ用のブロッキングフィルタもＬＣフィルタで構成することができるが、電力線には配電のための大電流が流れるため、ＰＬＣ用のブロッキングフィルタの場合は電子機器に使用されるＬＣフィルタよりも格段に大型となる。
一方、分電盤の内部では、通常、主幹ブレーカと分岐ブレーカが銅製の複数本のブスバーで接続されているが、分電盤をコンパクトに構成するために、複数本のブスバーが密に配列されていることが多い。
【０００７】
このため、通常のＰＬＣ用のブロッキングフィルタを主幹ブレーカと分岐ブレーカの間に接続しようとしても、上記ブスバーと干渉するために当該ブロッキングフィルタを配置するスペースが取れないことが多い。このため、主幹ブレーカやブスバーの配置を大幅に変更しないと、当該ブレーカの二次側にブロッキングフィルタを設置できず、ブロッキングフィルタの取り付け作業が非常に困難であるという問題があった。
【０００８】
本発明は、かかる従来の問題点に鑑み、主幹ブレーカやブスバーの配置を変更せずにフェライトコアを当該ブレーカの二次側に設置できるようにして、分電盤に対して電力線通信の信号漏れ対策を容易に行えるフェライトコア等を提供することを目的とする。
【課題を解決するための手段】
【０００９】
本発明のフェライトコア（請求項１）は、電力線通信の信号通過を抑制するためのフェライトコアであって、分電盤の内部に並設される複数本のブスバーのうちの一つを取り囲むことができる内空面を備え、前記ブスバーを取り囲んだ際に他の前記ブスバーと干渉しない断面形状に形成されていることを特徴とする。
【００１０】
上記構成のフェライトコアによれば、一つのブスバーを取り囲むことができる内空面を備え、そのブスバーを取り囲んだ際に他のブスバーと干渉しない断面形状に形成されているので、既存の複数本のブスバーの取付位置や形状を変更しなくても、当該フェライトコアをブスバーに取り付けることができる。このため、主幹ブレーカやブスバーの配置を変更することなく、主幹ブレーカの二次側にフェライトコアを設置することができる。
【００１１】
本発明のフェライトコアにおいて、断面外部から前記内空面に至るコンデンサ配線用の挿通孔を備えていることが好ましい（請求項２）。
この場合、上記挿通孔からコンデンサの配線を挿通して、この配線をブスバーに接続することができるので、フェライトコアの装着部分と同じ箇所にコンデンサを接続することができ、フェライトコアとコンデンサとからなるＬＣフィルタをコンパクトに構成することができる。
【００１２】
本発明のフェライトコアの具体的構造としては、例えば、一方が開放された溝型断面に形成された断面形状の一対のコアピースよりなり、この一対のコアピースの開放部分同士を互いに接合することで前記内空面が形成される構造のものを採用することができる（請求項３）。
この場合、フェライトコアが溝型断面に形成された断面形状の一対のコアピースよりなるので、主幹ブレーカの二次側のブスバーのうちの一つを、一対のコアピースの溝型断面の内部に収納させた状態で挟み込むことにより、一つのブスバーをフェライトコアで取り囲むことができ、フェライトコアの取り付け作業が簡便になる。
【００１３】
本発明の交換ブスバー（請求項４）は、ブスバーと、上記フェライトコアとからなるブロッキングフィルタ機能付きのものであって、前記ブスバーが、分電盤の内部に設置されている既存の前記ブスバーと同じ取付位置及び形状を有することを特徴とする。
上記構成の交換ブスバーによれば、ブスバーが、分電盤の内部に設置されている既存のブスバーと同じ取付位置及び形状を有するので、既存のブスバーを分電盤から取り外して交換ブスバーと交換するだけで、主幹ブレーカの配置を変更することなく、主幹ブレーカの二次側にフェライトコアを設置することができる。
【００１４】
また、上記構成の交換ブスバーにおいて、断面外部から前記内空面に至るコンデンサ配線用の挿通孔が前記フェライトコアに形成され、この挿通孔から挿通されたコンデンサの配線が前記ブスバーに予め接続されていることが好ましい（請求項５）。
この場合、フェライトコアの他にコンデンサが予め取り付けられた交換ブスバーになるので、既存のブスバーを当該交換ブスバーと取り換えるだけで、フェライトコアとコンデンサとで構成されたＬＣフィルタを分電盤の二次側に設置することができる。このため、分電盤に対する施工工数をより低減することができる。
【００１５】
本発明の分電盤の改修工法（請求項６）は、主幹ブレーカ及び分岐ブレーカとこれらを互いに接続する複数本のブスバーとを備えた分電盤に対して電力線通信の信号通過を抑制する機能を付加するためのものであり、上記フェライトコアを、前記分電盤の内部に設置されている既存の前記ブスバーの取付位置及び形状を変更せずに、当該ブスバーに取り付けることを特徴とする。
この改修工法によれば、分電盤の内部に設置されている既存のブスバーの取付位置及び形状を変更せずにフェライトコアをブスバーに取り付けるので、主幹ブレーカやブスバーの配置を変更することなく、主幹ブレーカの二次側にフェライトコアを設置することができる。
【００１６】
また、本発明の他の分電盤の改修工法（請求項７）は、主幹ブレーカ及び分岐ブレーカとこれらを互いに接続する複数本のブスバーとを備えた分電盤に対して電力線通信の信号通過を抑制する機能を付加するためのものであり、既存の前記ブスバーを上記交換用ブスバーと交換することを特徴とする。
この改修工法によれば、上記交換を行うだけで、主幹ブレーカの配置を変更することなく、主幹ブレーカの二次側にフェライトコアを設置することができる。
【００１７】
本発明の電力線通信システムの構築方法（請求項８）は、以下の工程（１）及び（２）を含むことを特徴とする。
（１）  分電盤から分岐する枝線に電力線通信を行うモデムを接続する工程
（２）  上記改修工法を前記分電盤に施工する工程
この構築方法によれば、分電盤に対して電力線通信の信号漏れ対策が容易な上記改修工法を採用したので、当該電力線通信システムの構築もより簡便になる。
【発明の効果】
【００１８】
以上の通り、本発明によれば、主幹ブレーカやブスバーの配置を変更せずにフェライトコアを当該ブレーカの二次側に設置できるので、分電盤に対する電力線通信の信号漏れ対策が容易になる。
【発明を実施するための最良の形態】
【００１９】
以下、図面を参照して、本発明の実施形態を説明する。
〔分電盤〕
図１は、本発明のフェライトコアに適した分電盤の内部構造を示す正面図である。
また、図２（ａ）は図１のＡ−Ａ線断面図であり、図２（ｂ）は同（ａ）のＢ−Ｂ線断面図である。
図１に示すように、この分電盤１は、開閉自在な蓋部材（図示せず）を有する前方開口状の中空箱体よりなる筐体２と、この筐体２の内部の上部よりに配置された主幹ブレーカ３と、筐体２の内部の下部よりに配置された複数（図例では８つ）の分岐ブレーカ４とを備えている。
【００２０】
筐体２の内部の背面板には、平行な左右一対の取付レール５が上下方向に延設されている。この取付レール５には、複数の水平方向の取付ステー９が上下方向に分かれて架設されており、上部側の取付ステー９に主幹ブレーカ３がねじ止めによって取り付けられ、下部側の取付ステー９に各分岐ブレーカ４がねじ止めによって取り付けられている。
また、主幹ブレーカ３は、上部側の取付ステー９の左側よりに取り付けられ、各分岐ブレーカ４は、左右で二列配置となるように下部側の取付ステー９に取り付けられている。
【００２１】
本実施形態の分電盤１は単相三線方式であり、主幹ブレーカ３は一次側と二次側にそれぞれ三つの接点を有している。この各接点は、一方の活線Ｒ（以下、赤相Ｒ）に繋がる第一接点６Ｒと、他方の活線Ｂ（以下、黒相Ｂ）に繋がる第二接点６Ｂと、中性線Ｗ（以下、白相Ｗ）に繋がる第三接点６Ｗとからなる。
二次側の各接点６Ｒ，６Ｂ，６Ｗには、それぞれ、導電性を有する銅製のブスバー７がねじ止めによって接続され、これらのブスバー７は、赤相Ｒ用の第一ブスバー７Ｒと、黒相Ｂ用の第二ブスバー７Ｂと、白相Ｗ用の第三ブスバー７Ｗとからなる。
【００２２】
二列配置の分岐ブレーカ４の間、すなわち、左列の四つの分岐ブレーカ４と右列の四つの分岐ブレーカ４の間には、上下方向に延びる互いに平行な合計三本の導電バー８が設けられている。これらの導電バー８も、赤相Ｒ用の第一導電バー８Ｒと、黒相Ｂ用の第二導電バー８Ｂと、白相Ｗ用の第三導電バー８Ｗとからなる。
このうち、第一導電バー８Ｒと第二導電バー８Ｂは、第三導電バー８Ｗよりも筐体２の底側で左右に分かれて配置され、第三導電バー８Ｗは、第一及び第二導電バー８Ｒ，８Ｂの間でかつそれよりも筐体２の開口側に配置されている（図２（ａ）参照）。
【００２３】
上記第一〜第三ブスバー７Ｒ，７Ｂ，７Ｗは、いずれも、同じ横断面形状でかつ正面視ほぼＬ字状に屈曲形成された銅製の板材よりなり、主幹ブレーカ３の二次側に取り付けられている。このうち、第一ブスバー７Ｒの一端は主幹ブレーカ３の第一接点６Ｒにねじ止めされ、他端は第一導電バー８Ｒにねじ止めされている。
また、第二ブスバー７Ｂの一端は主幹ブレーカ３の第二接点６Ｂにねじ止めされ、他端は第二導電バー８Ｂにねじ止めされ、第三ブスバー７Ｗの一端は主幹ブレーカ３の第三接点６Ｗにねじ止めされ、他端は第三導電バー８Ｗにねじ止めされている。
【００２４】
そして、図２に示すように、第一〜第三ブスバー７Ｒ，７Ｂ，７Ｗは、上記のようにして主幹ブレーカ３の二次側接点と導電バー８にねじ止めすると、その平行部分が上下に等間隔で並ぶ三段積み状態で配列されるようになっている。
一方、第一導電バー８Ｒと第三導電バー８Ｗは、左列の分岐ブレーカ４の二つの接点にそれぞれ接続され、第二導電バー８Ｂと第三導電バー８Ｗは、右列の分岐ブレーカ４の二つの接点にそれぞれ接続されている。このため、各分岐ブレーカ４の接点には、赤相Ｒ又は黒相Ｂによる単相１００Ｖの交流電圧が印加されるようになっている。なお、分岐ブレーカ４の各接点に第一導電バー８Ｒと第二導電バー８Ｂを接続して、単相２００Ｖの交流電圧が印加される場合もある。
【００２５】
〔フェライトコア〕
次に、本実施形態のフェライトコア１０について説明する。
本実施形態のフェライトコア１０は、電力線通信の信号（ＰＬＣ信号）の通過を抑制するためのものであって、図２に示すように、第一〜第三ブスバー７Ｒ，７Ｂ，７Ｗのそれぞれに設けられている。
この各フェライトコア１０は、一つのブスバー７を取り囲むことができる内空面１１を備え、そのうちの一つのブスバー（例えば、７Ｒ）を取り囲んだ状態において他のブスバー（例えば、７Ｂ）と干渉しない断面形状に形成されている。
【００２６】
より具体的には、図２に例示する本実施形態のフェライトコア１０は、断面ほぼ正方形の筒状体よりなり、その内空断面の幅寸法はブスバー７の横断面をちょうど収納できるように、その板幅よりも若干大きい寸法に設定されている。
一方、フェライトコア１０の肉厚寸法は、当該フェライトコア１０の外周面が、他のブスバー７を取り囲む別のフェライトコア１０と干渉するのを防止すべく、ブスバー７同士の間隔の２分の１未満に設定されている。
【００２７】
もっとも、ブスバー７に対する装着後のコンパクト化をより徹底するには、後述するＰＬＣ信号の抑制作用が得られる限度において、フェライトコア１０の肉厚寸法を可及的に小さくするのが好ましい。
また、上記フェライトコア１０は、一方が開放された溝型断面に形成された同一断面形状の一対のコアピース１２，１２よりなり、このコアピース１２，１２の開放部分同士を互いに接合することにより、筒状の前記内空面１１が形成されている。
【００２８】
図２（ｂ）に示すように、断面ほぼ正方形の各フェライトコア１０は、それぞれが、三段積み状態で配列された第一〜第三ブスバー７Ｒ，７Ｂ，７Ｗの横断面を取り囲んだ状態で配置され、隣接するフェライトコア１０同士の間には、例えばプラスチックや合成ゴム等の非磁性体よりなる絶縁シート１３が介在されている。
なお、各フェライトコア１０の固定方法は、それらの外周面にバインダ線（図示せず）で巻き付けて結束したり、或いは、接着剤で互いに接着したりする方法を採用することができる。
【００２９】
上記フェライトコア１０の構成材料は、電気的に絶縁性を有しかつ強磁性を示す金属酸化物よりなり、磁気飽和特性が周波数により変化する特性を有する。
例えば、交流信号に対する特性として周波数が１０Ｈｚ〜１ＭＨｚ程度までは比透磁率はほぼ一定であるが、それ以上では比透磁率が大きくなる周波数帯があり、商用電源の交流信号で飽和していても、１ＭＨｚ以上では飽和しない。従って、それほど大きなボリュームのフェライトコアを使用しなくても、ＰＬＣで使用する周波数帯（２〜３０ＭＨｚ）の信号をブロックすることができる。
【００３０】
つまり、商用交流電流に対しては材料が磁気飽和するまでは、そのインピーダンスにより抵抗分として作用するが、飽和してしまうと商用交流電流に対しては、それ以上抵抗とはならず通してしまうのに対し、ＰＬＣで使用する周波数帯の信号に対しては磁気飽和にならない領域がまだ残されているため抵抗分として作用し、信号の通過を抑制することになる。
従って、上記フェライトコア１０は、周波数５０又は６０Ｈｚの商用交流電流に対しては、実用上、送電に支障となるインピーダンスを発生させず、この点で存在しないのとほぼ同じである。
【００３１】
本実施形態のフェライトコア１０によれば、一つのブスバー７を取り囲むことができる内空面１１を備え、そのブスバー７を取り囲んだ際に他のブスバー７と干渉しない断面形状に形成されているので、図１に示すように、既存の複数本のブスバー７Ｒ，７Ｂ，７Ｗの取付位置や形状を変更しなくても、当該フェライトコア１０をブスバー７に取り付けることができる。
このため、主幹ブレーカ３やブスバー７の配置を変更することなく、主幹ブレーカ３の二次側にフェライトコア１０を設置することができる。
【００３２】
また、本実施形態のフェライトコア１０によれば、当該フェライトコア１０が、複数の溝型部品に分割構成されており、一方が開放された溝型断面に形成された同じ断面形状の一対のコアピース１２，１２よりなり、この一対のコアピース１２，１２の開放部分同士を互いに接合することで内空面１１が形成される構造になっている。
このため、フェライトコア１０を複数部品に分割構成するに当たってその構成部品が一種類となり、材料コストを低減できるという利点もある。
【００３３】
上記実施形態のフェライトコア１０において、その断面形状はほぼ正方形状のものに限るものではなく、長方形、円形及び楕円形等であってもよい。
また、フェライトコア１０は、一対のコアピース１２，１２ではなく、一体物の筒状体で構成することにしてもよい。もっとも、この場合には、主幹ブレーカ３の二次側のブスバー７をいったん取り外し、そのブスバー７を筒状体よりなるフェライトコア１０に挿通して同コア１０をブスバー７に装着してから、ブスバー７の取り付けをやり直す必要がある。
【００３４】
この点、本実施形態のように、一対の溝型断面のコアピース１２，１２でフェライトコア１０を分割構成した場合には、主幹ブレーカ３の二次側のブスバー７のうちの一つを、一対のコアピース１２，１２の溝型断面の内部に収納させた状態で挟み込むことにより、一つのブスバー７をフェライトコア１０で取り囲むことができる。
このため、主幹ブレーカ３の二次側に上記の作業を行う作業スペースがあれば、ブスバー７を取り外さないでフェライトコア１０を当該ブスバー７に直接取り付けることができ、この点でフェライトコア１０の取り付け作業が簡便になる。
【００３５】
〔フェライトコアの変形例〕
図３は、上記フェライトコア１０の変形例を示し、図３（ａ）はその斜視図であり、図３（ｂ）はその装着状態の横断面図である。
図３（ａ）に示すように、この変形例のフェライトコア１０は、断面外部から内空面１１に至るコンデンサ配線用の挿通孔１４を備えている。この挿通孔１４は、コアピース１２の底壁部分の中央部に形成された中央孔１４Ａと、コアピース１２の側壁部分に形成された側壁孔１４Ｂとからなる。
【００３６】
上記中央孔１４Ａと側壁孔１４Ｂはフェライトコア１０の長手方向に等間隔おきに配置されており、中央孔１４Ａは、コアピース１２の底壁部分を貫通する断面円形の貫通孔よりなる。
他方、側壁孔１４Ｂは、コアピース１２の側壁部の縁に形成された断面半円形の切り欠き溝よりなり、一対のコアピース１２の側壁部同士を互いに突き合わせた時に、中央孔１４Ａと同径の断面円形の貫通孔となる。
【００３７】
図３（ｂ）は、上記挿通孔１４付きのフェライトコア１０を用いた場合の、コンデンサ１５の接続構造の一例を示している。
この場合、コンデンサ１５の一方の配線１６Ａは、上段のフェライトコア１０の側壁孔１４Ｂと上段及び下段のフェライトコア１０の中央孔１４Ａを通って下段のフェライトコア１０の内空部に至り、下段の第二ブスバー７Ｂに接続されている。また、コンデンサ１５の他方の配線１６Ｂは、上段のフェライトコア１０の中央孔１４Ａを通って上段のフェライトコア１０の内空部に至り、上段の第三ブスバー７Ｗに接続されている。なお、隣接する上下のフェライトコア１０間には、前記絶縁シート１３が介在されている。
【００３８】
このように、図３に示す変形例のフェライトコア１０によれば、当該コア１０に形成した挿通孔１４からコンデンサ１５の配線１６Ａ，１６Ｂを挿通することで、この配線１６Ａ，１６Ｂをブスバー７に接続することができる。このため、フェライトコア１０の装着部分と同じ箇所にコンデンサ１５を接続することができ、フェライトコア１０とコンデンサ１５とを備えたＬＣ回路よりなるブロッキングフィルタ１７をコンパクトに構成することができる。
【００３９】
そして、図３に示す接続例では、第二ブスバー７Ｂと第三ブスバー７Ｗに対してＬ−Ｃ−Ｌ構造のフィルタ回路が構成されるが、この場合、Ｌ及びＣの定数を適切に選択することにより、商用交流電流を実用上支障なく通過させ、電力線通信の信号通過を抑制することができる。
【００４０】
〔交換用ブスバー〕
図４は、上記フェライトコア１０を利用した交換用ブスバー２０の一例を示す側面断面図である。
図４に示す交換用ブスバー２０は、分電盤１に装着する前の第二ブスバー７Ｂと第三ブスバー７Ｗに対して、ＬＣ回路よりなるブロッキングフィルタ１７を予め付加した構造になっており、第二ブスバー７Ｂ及び第三ブスバー７Ｗと、これらをそれぞれ取り囲むようにして二段積みの状態で取り付けられた上下一対のフェライトコア１０と、各ブスバー７Ｂ，７Ｗに接続されたコンデンサ１５とを備えている。上下のフェライトコア１０間には前記絶縁シート１３が介在されている。  
【００４１】
コンデンサ１５の一方の配線１６Ａは、上段のフェライトコア１０の上板部、上段の第三ブスバー７Ｗ、上段のフェライトコア１０の下板部及び下段のフェライトコア１０の上板部に形成された挿通孔をそれぞれ貫通して、下段のフェライトコア１０の内空部に至り、下段の第二ブスバー７Ｂに半田付け等によって接続されている。
また、コンデンサ１５の他方の配線１６Ｂは、上段のフェライトコア１０の上板部に形成された挿通孔を貫通してそのコア１０の内空部に至り、上段の第三ブスバー７Ｗに接続されている。
【００４２】
この交換用ブスバー２０の構成部材である第二ブスバー７Ｂと第三ブスバー７Ｗは、前記分電盤１の既存のブスバー７Ｂ，７Ｗとまったく同じ構造の板材が使用されており、当該既存のブスバー７Ｂ，７Ｗと同じ取付位置（ねじ止め位置等）及び形状を有する。
従って、本実施形態の交換用ブスバー２０によれば、主幹ブレーカ３の二次側にある既存の第二及び第三ブスバー７Ｂ，７Ｗを取り外して当該交換ブスバー２０と交換するだけで、フェライトコア１０とコンデンサ１５とからなるブロッキングフィルタ１７を主幹ブレーカ３の二次側に装着することができる。
【００４３】
このため、この交換用ブスバー２０を使用すれば、分電盤１に対する現場でのフェライトコア１０やコンデンサ１５の取り付け作業が不要となり、施工がより簡便になる。
また、この交換用ブスバー２０では、その構成部材として、既存のブスバー７と同じ構造のブスバー７を使用しているので、主幹ブレーカ３の配置を変更する必要がなく、主幹ブレーカ３の二次側にフェライトコア１０等よりなるブロッキングフィルタ１７を容易に設置することができる。
【００４４】
なお、図４では、コンデンサ１５を有する交換用ブスバー２０を例示しているが、フェライトコア１０のみをブスバー７に取り付けたものであってもよい。
また、図４では二本のブスバー７Ｂ，７Ｗに対してフェライトコア１０を二段積みで取り付けた交換用ブスバー２０を例示しているが、図２の場合と同様に、三本のブスバー７Ｒ，７Ｂ，７Ｗに対してフェライトコア１０を三段積みで取り付けた交換用ブスバー２０とすることもできる。
【００４５】
〔電力線通信システム〕
図５は、電力線通信（ＰＬＣ）システムを適用したホテルの配線系統図である。
図５に示すＰＬＣシステム３０は、６階建てのホテル３１に適用したものであり、２〜６階が客室となっている。ホテル３１の屋上には受電用のキュービクル３２が設置され、このキュービクル３２から延びる配電用の幹線３３が、各階のダクトスペース３４内に設置された前記分電盤１に引き込まれている。このため、各階での各部屋へのコンセントや照明等の給電は、同一階の分電盤１から延びる枝線３５から行われる。
【００４６】
各部屋への配電のための幹線３３と枝線３５が敷設された上記ホテル３１にＰＬＣシステム３０を構築するには、分電盤１から分岐する枝線３５に対して、電力線通信を行う各モデムＭＳ，ＬＳをそれぞれ接続する工程と、ＰＬＣ信号の通過を抑制する機能を分電盤１に付加する改修工事を行う工程とを、各階で順次行うようにすればよい。
【００４７】
そこで、図５に示すホテル３１では、ＰＬＣモデムの親機ＭＳが、各階の分電盤１から延びる枝線３５に接続され、ダクトスペース３４内に収納されている。
この親機ＭＳは、光通信で外部ネットワークと繋がるメディアコンバータ（図示せず）と接続されており、そのコンバータとの間でイーサネット（登録商標）での信号の送受信を行い、子機ＬＳとの間では、電力線（枝線３５）を通信媒体としてＰＬＣ信号の送受信を行う。
【００４８】
一方、ＰＬＣモデムの子機ＬＳは、各階の各部屋（一部でも全部でもよい。）に設置され、その各部屋のコンセントを通じて、分電盤１から延びる枝線３５に接続されている。従って、各階に一つずつ設置された親機ＭＳとその配下の複数の子機ＬＳにより、一つのＬＡＮ（ローカルエリアネットワーク）が構成される。
上記ＰＬＣシステム３０において、各階の分電盤１には、これまで説明したフェライトコア１０等よりなるブロッキングフィルタ１７を内部に設ける改修工事が施され、これにより、ＰＬＣ信号の通過を抑制する機能が当該分電盤１に付加されている。
【００４９】
すなわち、主幹ブレーカ３及び分岐ブレーカ４とこれらを互いに接続する複数本のブスバー７とを備えた各階の分電盤１に対し、その分電盤１の内部に設置されている既存の複数本のブスバー７の取付位置及び形状を変更せずに、前記フェライトコア１０やコンデンサ１５を当該ブスバー７に取り付けたり、或いは、既存の複数本のブスバー７を前記交換用ブスバー２０と交換したりすることにより、ＰＬＣ信号の通過を抑制する機能を付加する改修工事が、各階の分電盤１に施される。
【００５０】
従って、このようなＰＬＣ信号の通過抑制機能が付加された分電盤１により、ＰＬＣ信号が異なる階に跨って送受信されることが防止され、ネットワーク外へのＰＬＣ信号の漏洩が防止される。換言すると、ＰＬＣ信号による通信範囲が、各階のＬＡＮ内での通信に制限される。
そして、本実施形態では、主幹ブレーカ３の配置を変更することなく、主幹ブレーカ３の二次側にフェライトコア１０等よりなるブロッキングフィルタ１７を設置できるので、ＰＬＣ信号の漏れ対策のための分電盤１の改修工事の作業が容易になる。このため、ＬＡＮ間の信号漏れを抑制するＰＬＣシステム３０の構築作業も簡単になる。
【００５１】
なお、図５では、ホテル３１の配線系統図を例示しているが、集合住宅や戸建て住宅の場合にも、本発明のフェライトコア１０や交換用ブスバー２０を適用することができ、この場合、ＰＬＣ信号の通過抑制機能が分電盤１に付加されることにより、他の住宅への信号の漏洩を防止することができる。
【００５２】
上記実施形態はすべて例示であり本発明の範囲を制限するものではない。本発明の範囲は、上記実施形態ではなく特許請求の範囲によって示され、特許請求の範囲の構成と均等の範囲内での変更が含まれる。
【図面の簡単な説明】
【００５３】
【図１】本発明のフェライトコアに適した分電盤の内部構造を示す正面図である。
【図２】（ａ）は図１のＡ−Ａ線断面図、（ｂ）は図２（ａ）のＢ−Ｂ線断面図である。
【図３】（ａ）はフェライトコアの変形例を示す斜視図、（ｂ）はその装着状態の横断面図である。
【図４】フェライトコアを利用した交換用ブスバーの側面断面図である。
【図５】電力線通信システムを適用したホテルの配線系統図である。
【符号の説明】
【００５４】
１：分電盤  ２：筐体  ３：主幹ブレーカ  ４：分岐ブレーカ  ５：取付レール
６Ｒ：第一接点  ６Ｂ：第二接点  ６Ｗ：第三接点
７：ブスバー  ７Ｒ：第一ブスバー  ７Ｂ：第二ブスバー  ７Ｗ：第三ブスバー
８：導電バー  ８Ｒ：第一導電バー  ８Ｂ：第二導電バー  ８Ｗ：第三導電バー
１０：フェライトコア  １１：内空面  １２：コアピース  １３：絶縁シート
１４：挿通孔：１４Ａ：中央孔：１４Ｂ：側壁孔  
１５：コンデンサ  １６Ａ：配線  １６Ｂ：配線  １７：ブロッキングフィルタ
２０：交換用ブスバー  
３０：ＰＬＣシステム  ３１：ホテル  ３２：キュービクル  ３３：幹線
３４：ダクトスペース  ３５：枝線
【図１】
2009016914.tif 000003
【図２】
2009016914.tif 000004
【図３】
2009016914.tif 000005
【図４】
2009016914.tif 000006
【図５】
2009016914.tif 000007